(57)【要約】【課題】Cアームの壁面を伝ってX線管カバーやX線検出器カバーの隙間から内部に液体が浸潤することがあった。これらカバーは、病院関係者が開けることができず、内部の清掃が困難であった。そのため、病原菌その他の雑菌は、カバー内部で繁殖してしまう問題があった。【解決手段】  本発明のX線管保持装置は、X線管を保持するアームと、前記アームの少なくとも一面に密着する防水部材とを有し、前記防水部材は、それ自体液体を透過しない素材であり、前記防水部材及び前記X線管は、カバーで覆われている。【選択図】図３
2017213321.tif 000002
【特許請求の範囲】
【請求項１】
X線管を保持するアームと、
前記アームの少なくとも一面に密着する防水部材とを有し、
前記防水部材は、それ自体液体を透過しない素材であり、
前記X線管は、カバーで覆われており、
前記防水部材は、前記アーム及びカバーのいずれか一方にのみ固定されていることを特徴とする、X線管保持装置。
【請求項２】
前記アームはC型のアームであり、前記防水部材は、当該アームの内周面に密着していることを特徴とする請求項１に記載のX線管保持装置。
【請求項３】
前記C型のアームは、外周面、内周面、及び両側面の４面を有し、前記防水部材は、当該アームの内周面及び両側面に密着していることを特徴とする請求項２に記載のX線管保持装置。
【請求項４】
前記防水部材は、前記カバーの内壁面にも密着していることを特徴とする請求項１乃至３のいずれかに記載のX線管保持装置。
【請求項５】
X線検出器を保持するアームと、
前記アームの少なくとも一面に密着する防水部材とを有し、
前記防水部材は、それ自体液体を透過しない素材であり、
前記防水部材及び前記X線検出器は、カバーで覆われていることを特徴とする、X線検出器保持装置。
【発明の詳細な説明】
【技術分野】
【０００１】
この発明は、Ｘ線管又はＸ線検出器を保持する保持装置に関し、特に、Ｘ線管又はＸ線検出器のカバー内部への液体の侵入を防止する技術に関する。
【背景技術】
【０００２】
従来のX線透視撮影装置は、X線管と、X線検出器とを対向保持するCアームと、当該X線管を覆うX線管カバーと、X線検出器又はその制御部を覆うX線検出器カバーとを有している(例えば特許文献１)。
従来のX線透視撮影装置を手術室や血管造影室で使用する際、被検者の血液、生理食塩水、造影剤などがX線透視撮影装置にかかる場合がある。病原菌その他の雑菌が繁殖したり、その菌により他の被検者や術者が感染したりする恐れがある。従って、X線透視撮影装置に付着した血液等の液体は、検査終了後に全てふき取る必要がある。
【先行技術文献】
【特許文献】
【０００３】
【特許文献１】特開2014-171716号公報
【発明の概要】
【発明が解決しようとする課題】
【０００４】
しかし、従来のX線透視撮影装置は、Cアームの壁面を伝ってX線管カバーやX線検出器カバーの隙間から内部に液体が浸潤することがあった。これらカバーは、病院関係者が開けることができず、内部の清掃が困難であった。そのため、病原菌その他の雑菌は、カバー内部で繁殖してしまう問題があった。
また、この問題を解決するために、当該隙間を塞ぐように、カバーの外から、隙間部分に樹脂コーキングをすることもあった。しかし、当該樹脂コーキングは、カバーとＣアームとが接着されてしまうため、X線管やX線検出器のメンテナンスの際、X線管カバーやX線検出器カバーを開閉することを阻害するという問題があった。
本発明は、上記問題を解決し、清掃の容易性及びメンテナンス性を両立したX線管又はX線検出器の保持装置を提供することを目的とする。
【課題を解決するための手段】
【０００５】
上記課題を解決するために、本発明は、X線管を保持するアームと、前記アームの少なくとも一面に密着する防水部材とを有し、前記防水部材は、それ自体液体を透過しない素材であり、前記X線管はカバーで覆われており、前記防水部材は、前記アーム及びカバーのいずれか一方にのみ固定されていることを特徴とする。
上記手段により、アームの一面を伝ってくる液体の侵入を、防水部材によって防ぐことができるため、清掃が容易になる。加えて、カバーの着脱に影響を与えないため、メンテナンス性を維持できる。
【０００６】
また、前記アームはC型のアームであり、前記防水部材は、当該アームの内周面に密着していることを特徴とする。
Cアームの場合、液体が内周面を伝うことが多いため、防水部材を内周面に密着していることにより、効果的に液体の侵入を防ぐことが出来る。
【０００７】
また、前記C型のアームは、外周面、内周面、及び両側面の４面を有し、前記防水部材は、当該アームの内周面及び両側面に密着していることを特徴とすることを特徴とする。
Cアームの内周面を伝って、防水部材でせき止められた液体は、側面に逃げる場合があり、その際、Cアームの向きによってはカバーの内部に侵入する場合がある。防水部材が両側面にも及んでいれば、より効果的に液体の侵入を防ぐことが出来る。
【０００８】
また、前記防水部材は、前記カバーの内壁面にも密着していることを特徴とする。
これにより、防水部材を乗り越えて液体が侵入するのを防ぐことが出来ため、特に効果的に液体の侵入を防ぐことができる。
【０００９】
更に、本発明のX線検出器保持装置は、X線検出器を保持するアームと、前記アームの少なくとも一面に密着する防水部材とを有し、前記防水部材は、それ自体液体を透過しない素材であり、前記防水部材及び前記X線検出器は、カバーで覆われていることを特徴とする。
X線管の場合と同様の効果を奏する。
【発明の効果】
【００１０】
本発明のX線管又はX線検出器の保持装置によれば、清掃の容易性及びメンテナンス性の両立を図ることができる。
【図面の簡単な説明】
【００１１】
【図１】本発明のＸ線管保持装置を含むＸ線透視撮影装置の全体像を示す図である。
【図２】本発明のＸ線管保持装置におけるＸ線管近傍の拡大図である。
【図３】本発明のＸ線管保持装置におけるＸ線管カバーを開けた内部構造を示す図である。
【図４】本発明のＸ線管保持装置におけるＣアームの構造を示す図である。
【発明を実施するための形態】
【００１２】
図１に示すように、本発明にかかる保持装置１は、本体に対して回転や平行移動できる状態で保持されたCアーム2と、Cアーム2の一端に保持されたX線検出器3と、その他端に保持されたX線管4と、前記X線管を覆うX線管カバー5と、X線検出器の一部を覆うX線検出器カバー7とを有している。なお、保持装置１を含む図１全体の装置は、一般にX線透視撮影装置と呼ばれている。
【００１３】
図２は、X線管カバー5周辺の拡大図である。Cアーム2の端にX線管4が取り付けられ、その上にカバー5が取り付けられている。本実施形態では、X線管4には、電圧の昇圧回路が付属しているため(一般にモノタンク型という)、下方に大きくせり出しているが、特にこの種の構成に限定されることはない。
【００１４】
図３は、図２のX線管カバー５を開けた状態の図である。Cアーム2の端部には、X線管４と、その開口部に取り付けられ、X線束を絞るためのコリメータ９とが、取り付けられている。また、Cアーム2には、略コの字をしたシリコン樹脂製の防水部材８が、Cアーム2の両側面からネジ７Mで固定されている。
【００１５】
図3の右下に、防水部材８単体の拡大図を示す。防水部材８は、液体がX線管4の方に侵入しないように、Cアーム2に密着させる。例えば、防水部材８を引っ張りながらネジ7Mを締めることにより、弾性によって防水部材８がCアーム2の表面に押し当てられるため、密着状態を維持することができる。なお、防水部材８とCアーム2とを接着剤で固定したり、グリスなどを介在させたりするような場合も、「密着」に含まれるものとする。更に一般化すれば、本発明における「密着」とは、防水部材とアーム表面との間に、液体が侵入するほどの隙間がないことを意味する。
【００１６】
本実施形態におけるCアーム2は、図４に示すように、内周面２iと、外周面２ｏと、側面２Ｌ及び２ｒとを有している。また、防水部材８は、図３右下に示すように、コの字状となっており、内周面２iと、側面２Ｌ及び２ｒとに密着するように取り付けられる。従って、内周面２iを伝って流れてきた液体は、防水部材８でせき止められ、側面２Ｌまたは２ｒを伝って床に流れ落ちる。従って、液体が溜まらず、Ｘ線管カバー５を開閉することなく清掃を行うことができる。
【００１７】
更に、図3に示すように、Ｘ線管カバー５の端部における内壁面5kと、防水部材８の縁部８ｋとが接する位置で、Cアーム2に対してＸ線管カバー５及び防水部材８を取り付ける事により、Ｘ線管カバー５と、防水部材８との隙間からの液体の侵入を防ぐことができる。
【００１８】
なお、本実施形態では、防水部材は樹脂製としたが、それ自体が水分を透過しない部材であれば特に限定されない。ただし、弾性を有する部材であれば、カバーやアームに多少の凹凸があっても密着を確保しやすいことに加え、アーム、カバー、防水部材の各取り付け位置誤差を吸収することができるので、好適である。
【００１９】
また、本実施形態では、Ｘ線管４側に防水部材８を配置することとしたが、同様の構成により、Ｘ線検出器３側に防水部材を配置することとしてもよい。
【００２０】
また、本実施形態では、防水部材８は、コの字状となっており、内周面２iと、側面２Ｌ及び２ｒとに密着するように取り付けられることとしたが、いずれか一面だけであっても、その面を介した液体の侵入を防ぐことができる。また、防水部材はアーム側ではなく、カバー側に取り付けるようにしてもよい。その場合、防水部材は、アームに固定しないようにすれば、カバーの脱着が可能となる。ただし、カバー側に防水部材を取り付けると、アームとの密着を確保するために、より一層の加工精度・取り付け精度が要求される。よって、防水部材は、アーム側に取り付けることが望ましい。なお、カバーは、アームに取り付けても、Ｘ線管に取り付けてもよい。
【００２１】
また、本実施形態では、防水部材８はＸ線管カバー５で覆われている位置に設けることとしたが、Ｘ線管カバー５の外側に配置しても良い。ただし、Ｘ線管カバー５の内部に液体が侵入することを防止するため、防水部材８の縁部８ｋと対向する面と、Ｘ線管カバー５の外壁とを接する位置に配置することが望ましい。
ただし、防水部材８をＸ線管カバー５で覆うと、液体が付着するＣアーム２の内周面２iがフラットになり、清掃が容易となることに加え、見た目もすっきりとするため、より好ましい。
【００２２】
更に、本実施形態では、アームとしてＣアームを例示したが、例えば天井懸垂型のＸ線管保持装置のように、直線形状のアームであってよく、Ｘ線管のみを保持する機構であっても良い。更には、例えば立位ブッキー装置のように、Ｘ線検出器のみを保持するアームや支柱にも適用可能である。
その他、Ｘ線管やＸ線検出器を保持するアームであって、Ｘ線管又はＸ線検出器の少なくとも一部を覆うカバーを備える機構である限りにおいて、その実施形態を種々変更可能である。
【符号の説明】
【００２３】
1            保持装置
2           Cアーム
3           X線検出器
4           X線管
5           X線管カバー
7           X線検出器カバー
8           樹脂ストッパ
9           コリメータ
【図１】
2017213321.tif 000003
【図２】
2017213321.tif 000004
【図３】
2017213321.tif 000005
【図４】
2017213321.tif 000006